(57)【要約】      （修正有）【課題】夜等、自動車の夜間灯は赤でありブレーキランプも赤であるので見分けがつかない時もある、前車の状況を一瞬に判断出来るようにするブレーキランプを提供する。【解決手段】ブレーキペダルを踏むと自動車の後部の一部にブレーキ又はブレーキ中又は制動又は制動中等の文字を点灯させる。前方自動車の状況が文字により発信するので後方の自動車の運転手がすぐに判断でき、後方の自動車の運転手がブレーキペダルを踏むのが遅くならない。【選択図】図１
0003144138.tif 000002
【実用新案登録請求の範囲】
【請求項１】
自動車の後部の任意の所にブレーキペダルを踏むとブレーキの文字が点灯される事を特徴とした後方車に文字で知らせる信号。
【請求項２】
ブレーキの意味の文字を任意の国の文字に替えて文字を点灯させる事を特徴とした請求項１記載の後方車に文字で知らせる信号。
【請求項３】
ブレーキペダルを踏むとその国に文字と他の何個国かの文字が任意の間隔により交互に点灯される事を特徴とした請求項１、２記載の後方車に文字で知らせる信号。
【請求項４】
文字欄を複数設けて１つはその国の文字で点灯し、他欄は何個国かの他国の各各の文字を任意の時の間隔を設けて点灯させる事を特徴とした請求項１、２、３記載の後方車に文字で知らせる信号。
【請求項５】
任意の文字欄に任意の国の文字で任意の時の間隔を設けて点灯させる事を特徴とした請求項１、２、３、４記載の後方車に文字で知せる信号。
【考案の詳細な説明】
【技術分野】
【０００１】自動車のブレーキペダルを踏むと後方車に自動車のスピードを落している事を知らせる手段に関する事である。
【背景技術】
【０００２】ブレーキペダルを踏むと自動車のブレーキランプが点灯していた。
【考案の開示】
【考案が解決しようとする課題】
【０００３】夜等、自動車の夜間灯は赤でありブレーキランプも赤であるので見分けがつかない時もある、前車の状況を１瞬に判断出来るようにする。
【課題を解決するための手段】
【０００４】ブレーキペダルを踏むと自動車の後部の１部にブレーキ又はブレーキ中又は制動又は制動中等の文字を点灯させる。
【考案の効果】
【０００５】前自動車の状況が文字により発信するので後方の自動車の運転者がすぐに断断できるので後方の自動車の運転者がブレーキペダルを踏むのが遅くならない。
【考案を実施するための最良の形態】
【０００６】日本等は、自動車のブレーキペダルを踏むとその自動車の後部の上部又は下下あたりにブレーキの文字を点灯すれば良いと思う。
【実施例】
【０００７】文字は発光ダイオード等利用すれば良いと思う、夜は白緑の中に赤の文字を点灯させれば良いと思う。
【産業上の利用分野】
【０００８】自動車産業
【図面の簡単な説明】
【０００９】
【図１】文字欄が１個の自動車の後ろ姿。
【図２】文字欄が複数の自動車の後ろ姿。
【符号の説明】
【００１０】文字欄          １、３、４
自動車の後ろ姿  ２
【図１】
0003144138.tif 000003
【図２】
0003144138.tif 000004
【手続補正書】
【提出日】平成20年1月11日(2008.1.11)
【手続補正１】
【補正対象書類名】実用新案登録請求の範囲
【補正対象項目名】全文
【補正方法】変更
【補正の内容】
【実用新案登録請求の範囲】
【請求項１】
自動車の後部の任意の所にブレーキペダルを踏むとブレーキ及びブレーキの意味に感じる文字及びストップ及びストップの意味に感じる文字で点灯される事を特徴とした後方車に文字で知らせる信号。
【請求項２】
ブレーキ及びブレーキの意味に感じる文字及びストップ及びストップの意味に感じる文字を任意の国の文字に替えて文字を点灯させる事を特徴とした請求項１、記載の後方車に文字で知らせる信号。
【請求項３】
ブレーキペダルを踏むとその国の文字と他の何個国かの文字が任意の間隔により交互に点灯される事を特徴とした請求項１、２記載の後方車に文字で知らせる信号。
【請求項４】
文字欄を複数設けて１つはその国の文字で点灯し、他欄は何個国かの各各の国の文字を任意の時の間隔を設けて順番に文字が点灯される事を特徴とし請求項１、２、３記載の後方車に文字で知らせる信号。
【請求項５】
任意の文字欄に任意の国の文字で任意の時の間隔を設けて点灯させる事を特徴とした請求項１、２、３、４記載の後方車に文字で知せる信号。
【請求項６】
ブレーキ及びブレーキの意味に感じる文字及びストップ及びストップの意味に感じる文字を点滅させる事を特徴とした請求項１、２、３、４、５記載の後方車に文字で知らせる信号。
【請求項７】
ブレーキ及びブレーキの意味に感じる文字及びストップ及びストップの意味に感じる文字を順次点灯する事を特徴とした請求項１、２、３、４、５記載の後方車に文字で知らせる信号。
【請求項８】
ブレーキ及びブレーキの意味に感じる文字及びストップ及びストップの意味に感じる文字を順次点滅する事を特徴とした請求項１、２、３、４、５、６、７記載の後方車に文字で知らせる信号
【請求項９】
ブレーキ及びブレーキの意味に感じる文字及びストップ及びストップの意味に感じる文字を縦及び斜めにした事を特徴とした請求項１、２、３、４、５、６、７、８記載の後方車に文字で知らせる信号。
【手続補正２】
【補正対象書類名】明細書
【補正対象項目名】０００７
【補正方法】変更
【補正の内容】
【０００７】文字は、発光ダイオード等を利用すれば良い、ブレーキ又はブレーキの意味の文字は点滅又は順次文字を点灯又は点滅する事もある。文字の色は赤が良いと思う。又文字を縦又は斜にする事もある
【手続補正書】
【提出日】平成20年5月9日(2008.5.9)
【手続補正１】
【補正対象書類名】実用新案登録請求の範囲
【補正対象項目名】全文
【補正方法】変更
【補正の内容】
【実用新案登録請求の範囲】
【請求項１】
自動車の後部の任意の所にブレーキペダルを踏むとブレーキの文字又はブレーキの意味に感じる文字又はストップの文字又はストップの意味に感じる文字で点灯される事を特徴とした後方車に文字で知らせる信号。
【請求項２】
ブレーキの文字又はブレーキの意味に感じる文字又はストップの文字又はストップの意味に感じる文字を任意の国の文字に替えて文字を点灯させる事を特徴とした請求項１、記載の後方車に文字で知らせる信号。
【請求項３】
ブレーキペダルを踏むとその国の文字と他の何個国かの文字が任意の間隔により交互に点灯される事を特徴とした請求項１、２記載の後方車に文字で知らせる信号。
【請求項４】
文字欄を複数設けて１つはその国の文字で点灯し、他欄は何個国かの各各の国の文字を任意の時の間隔を設けて順番に文字が点灯される事を特徴とし請求項１、２、３記載の後方車に文字で知らせる信号。
【請求項５】
任意の文字欄に任意の国の文字で任意の時の間隔を設けて点灯させる事を特徴とした請求項１、２、３、４。記載の後方車に文字で知らせる信号。
【請求項６】
ブレーキの文字又はブレーキの意味に感じる文字又はストップの文字又はストップの意味に感じる文字を点滅させる事を特徴とした請求項１、２。３、４、５記載の後方車に文字で知らせる信号。
【請求項７】
ブレーキの文字又はブレーキの意味に感じる文字又はストップの文字又はストップの意味に感じる文字を順次点灯する事を特徴とした請求項１、２、３、４、５記載の後方車に文字で知らせる信号。
【請求項８】
ブレーキの文字又はブレーキの意味に感じる文字又はストップの文字又はストップの意味に感じる文字を順次点滅するする事を特徴とした請求項１、２、３、４、５、６、７記載の後方車に文字で知らせる信号。
【請求項９】
ブレーキの文字又はブレーキの意味に感じる文字又はストップの文字又はストップの意味に感じる文字を縦又は斜めにした事をした事を特徴とした請求項１、２、３、４、５、６、７、８記載の後方車に文字で知らせる信号。